(57)【要約】【課題】ＭＰＥＧデータのような圧縮データをトリミング処理する場合には、処理速度や画質確保の観点から編集単位をＧＯＰ単位で行うことがある。その際にＧＯＰ内に含まれる映像情報と音声情報は再生時間上では同期していないために、トリミング後のデータの終端等では映像もしくは音声の情報に過不足が発生する。【解決手段】ＡＶデータがＭＰＥＧデータのような圧縮データを編集する場合において、指定されたカット位置より数ＧＯＰ後ろのデータを含めた位置をカット位置とする。そして、それと共にＡＶデータの属性や構成情報を管理している管理情報も更新する。そして、編集されたＡＶデータを再生する場合においては、ＡＶデータの管理情報中の映像の再生フレームやタイムスタンプを元に、必要な音声データをカット時に余分に残しておいたデータ部分から取得することによりＡＶデータの同期再生を行うことを最も主要な特徴とする。【選択図】図１
2005184475.tif 000002
【特許請求の範囲】
【請求項１】
映像または音声の少なくとも一つを含むストリーム情報が記録された記録媒体から情報を編集再生する装置であって、記録媒体にストリーム情報及び管理情報を記録している情報保存手段と、前記情報保存手段からストリーム情報の読み出しを行うストリーム情報取得手段と、前記情報保存手段からストリーム情報の管理情報を読み出す管理情報取得手段と、前記ストリーム情報取得手段で読み出されたストリーム情報に対して編集位置を指示する編集指示手段と、前記編集指示手段で示された編集位置をストリーム情報とその管理情報をもとにして編集位置補正を行い、情報保存手段にストリーム情報及び管理情報の更新を指示する編集位置補正手段とを備えたことを特徴とするＡＶデータ再生編集装置。
【請求項２】
映像または音声の少なくとも一つを含むストリーム情報が記録された記録媒体から情報を編集再生する装置であって、記録媒体にストリーム情報及び管理情報を記録している情報保存手段と、前記情報保存手段からストリーム情報の読み出しを行うストリーム情報取得手段と、前記情報保存手段からストリーム情報の管理情報を読み出す管理情報取得手段と、前記管理情報読取手段で読み出された管理情報内のストリーム情報の属性や構成情報を元に再生位置を補正する再生ストリーム制御手段と、ストリーム情報を再生する情報再生手段とを備えたことを特徴とするＡＶデータ再生編集装置。
【請求項３】
映像または音声の少なくとも一つを含むストリーム情報が記録された記録媒体から情報を編集再生する装置であって、記録媒体にストリーム情報及び管理情報を記録している情報保存手段と、前記情報保存手段からストリーム情報の読み出しを行うストリーム情報取得手段と、前記情報保存手段からストリーム情報の終端付近の情報を読み出す終端情報取得手段と、前記ストリーム情報取得手段で読み出されたストリーム情報の再生終了位置を判定する再生終了判定手段と、ストリーム情報を再生する情報再生手段とを備えたことを特徴とするＡＶデータ再生編集装置。
【請求項４】
映像または音声の少なくとも一つを含むストリーム情報が記録された記録媒体から情報を編集再生する方法であって、記録媒体にストリーム情報及び管理情報を記録している第１のステップと、第１のステップからストリーム情報の読み出しを行う第２のステップと、第１のステップからストリーム情報の管理情報を読み出す第３のステップと、第２のステップで読み出されたストリーム情報に対して編集位置を指示する第４のステップと、第４のステップで示された編集位置をストリーム情報とその管理情報をもとにして編集位置補正を行い、情報保存手段にストリーム情報及び管理情報の更新を指示する第５のステップを備えたことを特徴とするＡＶデータ再生編集方法。
【請求項５】
映像または音声の少なくとも一つを含むストリーム情報が記録された記録媒体から情報を編集再生する方法であって、記録媒体にストリーム情報及び管理情報を記録している第１のステップと、第１のステップからストリーム情報の読み出しを行う第２のステップと、第１のステップからストリーム情報の管理情報を読み出す第３のステップと、第３のステップで読み出された管理情報内のストリーム情報の属性や構成情報を元に再生位置を補正する第４のステップと、ストリーム情報を再生する第５のステップを備えたことを特徴とするＡＶデータ再生編集方法。
【請求項６】
映像または音声の少なくとも一つを含むストリーム情報が記録された記録媒体から情報を編集再生する装置であって、記録媒体にストリーム情報及び管理情報を記録している第１のステップと、第１のステップからストリーム情報の読み出しを行う第２のステップと、第１のステップからストリーム情報の終端付近の情報を読み出す第３のステップと、第２のステップで読み出されたストリーム情報の再生終了位置を判定する第４のステップと、ストリーム情報を再生する第５のステップとを備えたことを特徴とするＡＶデータ再生編集方法。
【請求項７】
請求項４〜６いずれかに記載のステップをコンピュータに実行させるための表示制御プログラム。
【請求項８】
請求項７に記載のプログラムを記録したコンピュータ読み取り可能な記録媒体。
【発明の詳細な説明】
【技術分野】
【０００１】
本発明はディジタル情報分野における情報表示、情報再生及び情報編集に関するものである。
【背景技術】
【０００２】
近年、ディジタル情報の記録において、ＤＶＤ（Ｄｉｇｉｔａｌ  ＶｅｒｓａｔｉｌｅＤｉｓｋ）等の再書き込み可能な記録媒体が急速に普及している。再書き込み可能な媒体の特徴を利用して記録された映像データに対してカット編集（トリミング）を行うことが可能である。その際には、編集情報を映像データとは別の情報ファイルで編集位置等を管理するＤＶＤ規格も策定されている。
【０００３】
その映像データのカット編集において、ＭＰＥＧ圧縮された映像の場合にはフレーム単位やＧＯＰ（Ｇｒｏｕｐ  Ｏｆ  Ｐｉｃｔｕｒｅ）単位等で編集が行われる場合が多いが、その際に映像情報と音声情報のデータ配列は再生時間軸上で同期していないために、カット編集終端等ではカット編集する際に基準とした情報によって映像もしくは音声のどちらかの情報が少ないデータとなり、カット編集後のデータの再生精度の向上が望まれている。
【０００４】
従来のＡＶデータ再生編集装置では、ＡＶデータの再生をする際に例えばＡＶデータを構成する各パケット毎の属性情報であるパケット情報をＡＶデータとは別の管理ファイルに記憶し、この管理ファイル内の情報を参照しつつ、ＡＶデータの同期再生等を実現しており、ＡＶデータの編集が行われた場合においては、ＡＶデータ自体を編集すると共に、管理ファイル内の情報も編集する（例えば、特許文献１参照。）。
【０００５】
以下図面を用いて、従来の技術を説明する。図５は、従来のＡＶデータ再生編集装置の構成図を示すものである。図５において、５１の編集指示手段によりＡＶデータの編集内容が指示される。５２の情報編集手段により指示された内容にもとづきＡＶデータの内容を編集すると共に、ＡＶデータの属性や構成情報を保存している管理情報の内容についても５４の管理情報生成手段によって更新を行う。そして５３の情報記録手段により記憶媒体へ書き込むことになる。記憶媒体に記録されているＡＶデータを再生する場合には、５２の情報編集手段で編集されたＡＶデータを、５４の管理情報生成手段で更新されたＡＶデータの管理情報にもとづいて再生することになる。
【特許文献１】特開平１１−２６１９６３号公報
【発明の開示】
【発明が解決しようとする課題】
【０００６】
ＭＰＥＧデータのような圧縮データをトリミング処理する場合には、処理速度や画質確保の観点から編集単位をＧＯＰ単位で行うことがある。その際にＧＯＰ内に含まれる映像情報と音声情報は再生時間上では同期していないために、トリミング後のデータの終端等では映像もしくは音声の情報に過不足が発生する。
【０００７】
上記問題を解決するために、ＡＶデータの属性や構成情報をＡＶデータとは別の管理情報ファイルとして保存し、再生や編集の際には、ＡＶデータと共に管理情報ファイルを修正する方法もあるが、ＡＶデータをカット編集する場合には、映像を見ながら（映像を基準に）編集することが多い。その際に単純に映像データの区切りをデータのカット位置にした場合には、任意のＧＯＰ終端でデータをカット（トリミング）することになり、映像に対応する音声データがカット後半部分のＧＯＰに含まれてしまう場合があるために、カット前半部分のデータ再生時に終端付近の映像の音声が再生されない場合が発生する。
【課題を解決するための手段】
【０００８】
上記課題に鑑み、ＡＶデータがＭＰＥＧデータのような圧縮データであり、その圧縮データを編集する場合において、指定されたカット位置より数ＧＯＰ後ろのデータを含めた位置をカット位置とする。そして、それと共にＡＶデータの属性や構成情報を管理している管理情報も更新する。
【０００９】
そして、編集されたＡＶデータを再生する場合においては、ＡＶデータの管理情報中の映像の再生フレームやタイムスタンプを元に、必要な音声データをカット時に余分に残しておいたデータ部分から取得することによりＡＶデータの同期再生を行うことを最も主要な特徴とする。
【発明の効果】
【００１０】
これにより、編集されたＡＶデータを再生する場合において、データの終端部分においても編集者の所望する映像データとそれに対応する音声データが存在することになり、ＡＶデータの同期再生が編集者の意図どおりのデータ内容で行うことが可能となる。
【発明を実施するための最良の形態】
【００１１】
（実施の形態１）
図１は、本発明の実施の形態１におけるＡＶデータ再生編集装置の編集位置補正機能の構成を示すブロック図である。図１において、１１は記録媒体にストリーム情報及び管理情報を記録している情報保存手段、１２は前記情報保存手段１１からストリーム情報の読み出しを行うストリーム情報取得手段、１３は前記情報保存手段１１からストリーム情報の管理情報を読み出す管理情報取得手段、１４は前記ストリーム情報取得手段１２で読み出されたストリーム情報に対して編集位置を指示する編集指示手段、１５は前記編集指示手段１４で示された編集位置をストリーム情報とその管理情報をもとにして編集位置補正を行い、情報保存手段にストリーム情報及び管理情報の更新を指示する編集位置補正手段である。
【００１２】
図２は本発明の実施の形態１における編集位置補正手段の動作を説明するためのものである。上記のように構成された実施の形態１のＡＶデータ再生編集装置の編集位置補正機能の動作について図１及び図２を参照しつつ説明する。
【００１３】
記録媒体に記録されているストリーム情報の管理情報を記録している情報保存手段１１には、ストリーム情報と共にストリーム情報の属性情報や構成情報を記録した管理ファイルが記録保存されている。ストリーム情報取得手段１２により、情報保存手段１１に保存されているストリーム情報の読み出しを行う。また、管理情報取得手段１３により情報保存手段１１に保存されているストリーム情報の管理ファイルの読み出しを行う。読み出された情報をもとにユーザ（編集者）はストリーム情報の編集操作を行うことになる。その際の編集指標としては編集位置のストリーム情報のサムネイル等を用いてユーザに編集位置を示すという方法が良く用いられている。ここで表示されているストリーム情報の編集位置を編集指示手段１４により指示する。そして、編集位置補正手段１５は、管理情報ファイルに記載されているストリーム情報の構成情報等をもとにして編集位置でストリームをカット編集した場合においても、ユーザが所望する映像ストリームと音声ストリームが全て含まれる編集位置に補正を行い、情報保存手段１１に編集後のストリーム情報と管理ファイルを記録保存する。ここで、管理情報保存手段１１に保存されているストリーム情報とは、例えばＤＶＤ−ＶｉｄｅｏＲｅｃｏｄｉｎｇ規格のＶＲＯファイルのことであり、管理ファイルとはＩＦＯファイルのことである。
【００１４】
次に図２を用いて、編集位置補正手段１５の動作をより詳しく説明する。図２において２１（Ｖ＃１〜Ｖ＃９）はストリーム情報を構成するビデオパック、２２（Ａ＃１〜Ａ＃３）はストリーム情報を構成するオーディオパックである。ここで編集対象ストリームは２１、２２の各パックが図２上段のように並んでいるものとする。また、この場合において、編集指示手段１４から２３の編集点（時刻ｔ）が指示されたものとして説明を続ける。
【００１５】
編集対象ストリームをビデオパック、オーディオパック別に再生される再生時間を横軸に並べたものが図２の下段の図である。編集点（時刻ｔ）で編集を行った場合、図２上段のＶ＃５のデータでストリーム情報をカット編集することになる。その場合、図２の下段の再生時間を基準とした場合、Ｖ＃５に対応するオーディオパックがＡ＃２に含まれていることになる。そのため、Ｖ＃５のビデオパックの終端でストリーム情報をカット編集したときでは、Ｖ＃４やＶ＃５のビデオパックに含まれるＡ＃２のオーディオパックが含まれないことになってしまう。そのため、２３の編集点（時刻ｔ）を２４の編集点（時刻ｔ‘）に補正してそのオーディオパックを含むＡ＃２のオーディオパックの終端に編集位置を補正する。
【００１６】
上記のように、ユーザの編集位置を適宜補正することにより、データの終端部分においても編集者の所望する映像データとそれに対応する音声データが存在することになる。
【００１７】
（実施の形態２）
図３は、本発明の実施の形態２におけるＡＶデータ再生編集装置の構成を示すブロック図である。図３において、１１は記録媒体にストリーム情報及び管理情報を記録している情報保存手段、１２は前記情報保存手段１１からストリーム情報の読み出しを行うストリーム情報取得手段、１３は前記情報保存手段１１からストリーム情報の管理情報を読み出す管理情報取得手段、３１は前記管理情報読取手段１３で読み出された管理情報内のストリーム情報の属性や構成情報を元に再生位置を補正する再生ストリーム制御手段、３２はストリーム情報を再生する情報再生手段である。上記のように構成された実施の形態２のＡＶデータ再生編集装置及び再生位置補正手段の動作について図３及び図２を参照しつつ説明する。
【００１８】
記録媒体に記録されているストリーム情報の管理情報を記録している情報保存手段１１には、ストリーム情報と共にストリーム情報の属性情報や構成情報を記録した管理ファイルが記録保存されている。ストリーム情報取得手段１２により、情報保存手段１１に保存されているストリーム情報の読み出しを行う。また、管理情報取得手段１３により情報保存手段１１に保存されているストリーム情報の管理ファイルの読み出しを行う。読み出された管理情報内の再生手順や再生位置情報をもとに再生ストリーム制御手段３１によりストリーム情報の再生を制御して、情報再生手段３２により再生を行うことになる。
【００１９】
ここで、再生ストリーム制御手段３１の動作について図２を用いてより詳しく説明する。２３のユーザの編集点（時刻ｔ）が、ストリーム情報の構成内容に伴い、２４の補正後の編集点（時刻ｔ‘）に変更になっているものとする。この場合において、管理情報取得手段１３から読み出される管理ファイル内には、ストリーム情報の再生終端情報としてＶ＃５のビデオパックまで再生する旨が記載されている。そしてＶ＃５のビデオパックまでストリーム情報取得手段１２により読み出された後、Ｖ＃５のビデオパックを再生するために、Ｖ＃５のビデオのタイムスタンプに相当するオーディオパックが存在するまでストリーム情報を取得する必要がある。このストリーム情報の制御及び、読み出されたストリーム情報で不要なデータ（ここではＶ＃６、Ｖ＃７のビデオパック）を再生情報として使用しないような制御を再生ストリーム制御手段３１により行う。これにより、編集されたＡＶデータを再生する場合において、データの終端部分においても編集者の所望する映像データとそれに対応する音声データが存在することになり、ＡＶデータの同期再生が編集者の意図どおりのデータ内容で行うことが可能となる。
【００２０】
（実施の形態３）
図４は、本発明の実施の形態３におけるＡＶデータ再生編集装置の構成を示すブロック図である。図４において、１１は記録媒体にストリーム情報及び管理情報を記録してい
る情報保存手段、１２は情報保存手段１１からストリーム情報の読み出しを行うストリーム情報取得手段、４１は情報保存手段１１からストリーム情報の終端付近の情報を読み出す終端情報取得手段、４１はストリーム情報取得手段１２で読み出されたストリーム情報の再生終了位置を判定する再生終了判定手段、３２はストリーム情報を再生する情報再生手段である。
【００２１】
記録媒体に記録されているストリーム情報の管理情報を記録している情報保存手段１１には、ストリーム情報と共にストリーム情報の属性情報や構成情報を記録した管理ファイルが記録保存されている。ストリーム情報取得手段１２により、情報保存手段１１に保存されているストリーム情報の読み出しを行う。また、終端情報取得手段４１により情報保存手段１１に保存されているストリーム情報の終端付近の属性情報や構成情報の取得を行う。終端情報取得手段４１により取得されたストリームの終端付近の情報により、ストリームを構成するビデオパックとオーディオパックの構成を見比べて、ＡＶ同期再生可能なタイムスタンプの終了点の算出を再生終了判定手段４２により行い、情報再生手段３２により再生を行う。ここで、４２の再生終了判定手段により行われる判定方法とは、例えば、ストリーム終端付近のビデオパックとオーディオパックのタイムスタンプを比較して両方のデータの存在して最大のタイムスタンプまで再生を行うような制御を行うことである。
【００２２】
より具体的に説明すると、例えばビデオパックの終端でのタイムスタンプが１１０、オーディオパックの終端でのタイムスタンプが１００の場合、両方のデータの存在して最大のタイムスタンプ１００までを再生対象の有効データと判断し、ビデオパックのタイムスタンプ１００以上の部分はデータ読み出しを行っても再生データとしては使用しないような処理を行う。これにより、編集されたＡＶデータを再生する場合において、特にストリーム情報の属性情報や構成情報を保存している管理ファイル内のデータを参照することを行う必要がないため、管理ファイルの構成等の解釈処理が不要となり、軽度な処理によりストリーム情報のＡＶ同期再生処理が可能となる。
【産業上の利用可能性】
【００２３】
本発明によるＡＶデータ再生編集方法は、ＡＶデータの編集時にユーザの必要とする映像とそれに対応する音声情報が不足することなく編集することから、より精細な精度で映像編集が必要な用途にも適用可能である。
【図面の簡単な説明】
【００２４】
【図１】本発明の実施の形態１におけるＡＶデータ再生編集装置の編集位置補正機能の構成を示すブロック図
【図２】編集位置補正手段の説明図
【図３】本発明の実施の形態２におけるＡＶデータ再生編集装置の構成を示すブロック図
【図４】本発明の実施の形態３におけるＡＶデータ再生編集装置の構成を示すブロック図
【図５】従来のデータＡＶデータ再生編集装置の構成を示すブロック図
【符号の説明】
【００２５】
１１    情報保存手段
１２    ストリーム情報取得手段
１３    管理情報取得手段
１４    編集指示手段
１５    編集位置補正手段
【図１】
2005184475.tif 000003
【図２】
2005184475.tif 000004
【図３】
2005184475.tif 000005
【図４】
2005184475.tif 000006
【図５】
2005184475.tif 000007